(57)【特許請求の範囲】
【請求項１】
光を発生するランプユニットと、
前記光を受光する入射部を含む側面、前記側面の第１端部から延びて前記光を反射する反射面、及び前記側面の第２端部から延びて前記反射面と向い合い、前記光を出射する出射面で構成された導光板と、
矩形形状で構成され、底面と前記底面から延びる側壁とから形成される収納空間に前記ランプユニット及び前記導光板を収納する収納容器と、
を含み、
前記収納容器は、前記側壁が前記導光板から離隔され、前記矩形形状の第１乃至第４コーナー部に位置する第１領域の前記側壁の内側面において凹陥部を有し、前記側壁の内側面と前記導光板の側面との離隔距離が前記第１領域より前記矩形形状の前記第１領域を除く残りの第２領域で小さいことを特徴とするバックライトアセンブリー。
【請求項２】
前記収納容器の前記第１領域における前記側壁の内側面が凹陥する深さは０．１〜０．５ｍｍであることを特徴とする請求項１記載のバックライトアセンブリー。
【請求項３】
前記収納容器と前記収納容器に収納された導光板との離隔距離は、前記第１領域より第２領域で０．１〜０．５ｍｍ小さいことを特徴とする請求項１記載のバックライトアセンブリー。
【請求項４】
前記収納容器の前記側壁の内側面は、前記第２領域で凹凸構造を有し、前記第１領域でフラットな表面構造を有することを特徴とする請求項１記載のバックライトアセンブリー。
【請求項５】
前記導光板の側面は、前記収納容器の前記第２領域に対応する領域で凹凸構造を有し、前記第１領域でフラットな表面構造を有することを特徴とする請求項４記載のバックライトアセンブリー。
【請求項６】
前記収納容器の前記第２領域に対応する領域において、前記導光板は、前記側面から部分的に突出した突出部を更に具備し、
前記導光板の前記突出部に対応する前記収納容器の側壁には、前記突出部を収納して前記導光板が前記ランプユニット側に移動することを防止する収納凹所が形成されることを特徴とする請求項１記載のバックライトアセンブリー。
【請求項７】
前記突出部の表面と前記収納凹所が形成された領域に対応する前記収納容器の前記側壁の内側面とは凹凸構造を有することを特徴とする請求項６記載のバックライトアセンブリー。
【請求項８】
光を発生するランプユニットと、
前記光を受光する入射部を含む側面、前記側面の第１端部から延びて前記光を反射する反射面、及び前記側面の第２端部から延びて前記反射面と向い合って前記光を出射する出射面で構成された導光板と、
矩形形状で構成され、底面と前記底面から延びる側壁とから形成される収納空間に前記ランプユニット及び前記導光板を収納する第1収納容器と、
前記第１収納容器に装着され、前記導光板からの光によって画像を表示する表示パネルと、
前記第１収納容器と結合して前記表示パネルを前記第１収納容器に固定する第２収納容器と、
を含み、
前記収納容器は、前記側壁が前記導光板から離隔され、前記矩形形状の第１乃至第４コーナー部に位置する第１領域の前記側壁の内側面において凹陥部を有し、前記側壁の内側面と前記導光板の側面との離隔距離が前記第１領域より前記矩形形状の前記第１領域を除く残りの第２領域で小さいことを特徴とする表示装置。
【請求項９】
前記収納容器の前記第１領域における前記側壁の内側面が凹陥する深さは０．１〜０．５ｍｍであることを特徴とする請求項８記載の表示装置。
【請求項１０】
前記第１収納容器と前記第１収納容器に収納された導光板の離隔距離は、前記第１領域より第２領域で０．１〜０．５ｍｍ小さいことを特徴とする請求項９記載の表示装置。
【請求項１１】
前記収納容器の前記側壁の内側面は、前記第２領域で凹凸構造を有し、前記第１領域でフラットな表面構造を有することを特徴とする請求項８記載の表示装置。
【請求項１２】
前記導光板の側面は、前記収納容器の前記第２領域に対応する領域で凹凸構造を有し、前記第１領域でフラットな表面構造を有することを特徴とする請求項１１記載の表示装置。
【請求項１３】
前記収納容器の前記第２領域に対応する領域において、前記導光板は、前記側面から部分的に突出した突出部を更に具備し、
前記導光板の前記突出部に対応する前記第１収納容器の側壁には、前記突出部を収納して前記導光板が前記ランプユニット側に移動することを防止する収納凹所が形成されることを特徴とする請求項８記載の表示装置。
【請求項１４】
前記突出部の表面と前記収納凹所が形成された領域に対応する前記収納容器の前記側壁の内側面とは、凹凸構造を有することを特徴とする請求項１３記載の表示装置。
【請求項１５】
前記表示パネルは、液晶表示パネルであることを特徴とする請求項８記載の表示装置。
【請求項１６】
前記表示装置は、ラップトップコンピュータに適用されることを特徴とする請求項８記載の表示装置。
【発明の詳細な説明】
【技術分野】
【０００１】
本発明は、バックライトアセンブリーを有する表示装置に関し、より詳細にはノイズ発生を減少させることができるバックライトアセンブリー及びこれを有する表示装置に関する。
【背景技術】
【０００２】
一般的に、液晶表示装置は、画像を表示するディスプレイユニット及び光を発生してディスプレイユニットに提供するバックライトアセンブリーを含む。
【０００３】
バックライトアセンブリーは、光を発生するランプユニット、光をディスプレイユニットに向かうようガイドする導光板、及びランプユニットと導光板を収納するモールドフレームを具備する。ランプユニットは、光を発生するランプ及びランプをカーバーして光を導光板に向け反射するランプ反射板で構成される。
【０００４】
導光板は、矩形プレート形状を有し、ランプユニットから発生した光は、一側面を通じて導光板の内部に入射する。以後、導光板は、光の経路を変更して前面から出射する。
【０００５】
モールドフレームは、底面及び底面から延長した側壁によって画成された収納空間にランプユニット及び導光板を収納する。ランプユニットは、モールドフレームの側壁と導光板の一側面との間に収納される。
【０００６】
モールドフレームに導光板とランプユニットが収納された状態で外部から衝撃又は熱が加えられると、衝撃又は熱によって導光板が移動するかその形状が変形させられて導光板がモールドフレームに接触する。モールドフレームと導光板が接触する時、ぶつかり及び摩擦によってノイズが発生するようになる。
【０００７】
特に、液晶表示装置が携帯用製品に用いられる場合、液晶表示装置は、一定の位置に固定されず使用者の位置移動によって動くようになる。このような液晶表示装置の位置変化によって、モールドフレームと導光板が互いに衝突する可能性が高くなり、結局液晶表示装置からのノイズが更に増加する。
【発明の開示】
【発明が解決しようとする課題】
【０００８】
従って、本発明の目的は、ノイズ発生を減少させることができるバックライトアセンブリーを提供することにある。
また、本発明の他の目的は、前記バックライトアセンブリーを有する表示装置を提供することにある。
【課題を解決するための手段】
【０００９】
本発明の一特徴によるバックライトアセンブリーは、光を発生するランプユニット、前記光をガイドする導光板、及び前記ランプユニットと導光板を収納する収納容器を含む。
【００１０】
前記導光板は、前記光を受信する入射部を含む側面、前記側面の第１段部から延びて前記光を反射する反射面、及び前記側面の第２段部から延びて前記反射面と向い合い、前記光を出射する出射面で構成される。
【００１１】
前記収納容器は、底面及び前記底面から延びて収納空間を形成する側壁を具備して前記収納空間に前記ランプユニットと導光板を収納する。この時、前記側壁の内側面と前記導光板の側面との離隔距離は第２領域(即ち、中央部)より第１領域（即ち、角部）でより大きい。
【００１２】
本発明の他の特徴による表示装置は、光を発生するランプユニット、前記光をガイドする導光板、前記ランプユニットと導光板を収納する第１収納容器、画像を表示する表示パネル及び前記第１収納容器と結合する第２収納容器を含む。
【００１３】
前記導光板は、前記光を受光する入射部を含む側面、前記側面の第１端部から延びて前記光を反射する反射面、及び前記側面の第２端部から延びて前記反射面と向い合って前記光を出射する出射面で構成される。
【００１４】
前記第１収納容器は、底面及び前記底面から延びて収納空間を形成する側壁を具備して前記収納空間に前記ランプユニットと導光板を収納する。この時、前記側壁の内側面と前記導光板の側面との離隔距離が第２領域(即ち、中央部)より第１領域（即ち、角部）でより大きい。
【００１５】
前記表示パネルは、前記第１収納容器に装着されて前記導光板からの光によって画像を表示する。前記第２収納容器は、前記第１収納容器と結合して前記表示パネルを前記第１収納容器に固定する。
【００１６】
このようなバックライトアセンブリー及びこれを有する表示装置によると、収納容器の側壁の内側面と導光板の側面との離隔距離が各コーナー部でよりコーナー部の間で小さい。従って、収納容器と導光板との間で発生するノイズを減少させることができる。
【発明を実施するための最良の形態】
【００１７】
以下、添付した図面を参照して、本発明の望ましい実施例をより詳細に説明する。
【実施例１】
【００１８】
図１は、本発明の一実施例によるバックライトアセンブリーを示した斜視図であり、図２は、図１に図示されたバックライトアセンブリーの平面図である。
図１及び図２を参照すると、本発明の一実施例によるバックライトアセンブリー４００は、光を発生するランプユニット１００、前記光を所定方向にガイドする導光板２００及び前記ランプユニット１００と導光板２００を収納するモールドフレーム３００を含む。
【００１９】
前記導光板２００は、第１乃至第４側面２１０、２２０、２３０、２４０、前記第１乃至第４側面２１０〜２４０の一端部から延びる前面２５０及び前記第１乃至第４側面２１０〜２４０の他の一端部から延び、前記前面２５０と向い合う後面２６０で構成される。
【００２０】
ここで、前記第４側面２４０は、前記ランプユニット１００と隣接して前記ランプユニット１００から前記光を受光する入射面である。前記後面２６０は、前記第４側面２４０に入射した光を前記前面２５０側に反射し、前記前面２５０は、前記第４側面２４０に入射した前記光と反射された光を出射する。
【００２１】
前記ランプユニット１００は、前記光を発生するランプ１１０及び前記ランプ１１０をカバーし、前記光を前記第４側面２４０側に反射するランプ反射板１２０で構成される。
【００２２】
前記モールドフレーム３００は、底面３５０及び前記底面３５０から延びて収納空間を画成する第１乃至第４側壁３１０、３２０、３３０、３４０を含む。
【００２３】
前記モールドフレーム３００は、前記第１及び第２側壁３１０、３２０が接する第１コーナー部（Ｃ１）、前記第２及び第３側壁３２０、３３０が接する第２コーナー部（Ｃ２）、前記第３及び第４側壁３３０、３４０が接する第３コーナー部（Ｃ３）、前記第４及び第１側壁３４０、３１０が接する第４コーナー部（Ｃ４）を具備する。
【００２４】
前記第１コーナー部（Ｃ１）で前記第１及び第２側壁３１０、３２０の内側面３１１、３２１は外側面３１２、３２２側に凹陥され、前記第２コーナー部（Ｃ２）で前記第２及び第３側壁３２０、３３０の内側面３２１、３３１も外側面３２２、３３２側に凹陥される。また、前記第３コーナー部（Ｃ３）で前記第３及び第４側壁３３０、３４０の内側面３３１、３４１は、外側面３３２、３４２側に凹陥され、前記第４コーナー部（Ｃ４）で前記第４及び第１側壁３４０、３１０の内側面３４１、３１１も外側面３４２、３１２側に凹陥される。
【００２５】
前記第１コーナー部（Ｃ１）と第４コーナー部（Ｃ４）との間には第１中央部（Ｄ１）が具備され、前記第１コーナー部（Ｃ１）と第２コーナー部（Ｃ２）との間には第２中央部（Ｄ２）が具備される。前記第２コーナー部（Ｃ２）と第３コーナー部（Ｃ３）との間には第３中央部（Ｄ３）が具備され、前記第３コーナー部（Ｃ３）と第４コーナー部（Ｃ４）との間には第４中央部（Ｄ４）が具備される。
【００２６】
前記第１乃至第４コーナー部（Ｃ１〜Ｃ４）での、前記第１乃至第４側壁３１０〜３４０の第１厚さ（ｔ１）は前記第１乃至第３中央部（Ｄ１〜Ｄ３）での前記第１乃至第３側壁３１０〜３３０の第２厚さ（ｔ２）より薄い。ここで、前記第１乃至第４側壁３１０〜３４０の第１及び第２厚さ（ｔ１，ｔ２）は、前記第１乃至第４側壁３１０〜３４０の内側面３１１〜３４１と外側面３１２〜３４２との距離で定義される。尚、第４側壁３４０はその内側に向け開放された溝状凹所があり、そこに図２に破線で示すようにランプユニットが収容されている。従って第４側壁の厚さは必ずしもｔ２と同じものとはならない。
【００２７】
図２に図示されたように、前記収納空間に前記導光板２００とランプユニット１００が収納されると、前記第１乃至第４側壁３１０〜３４０の内側面３１１〜３４１は、導光板の前記第１乃至第４側面２１０〜２４０とそれぞれ向い合う。この時、前記第４側壁３４０の中には前記ランプユニット１００が前記第４側面２４０に面するように配置され    る。
【００２８】
前記第１乃至第４側壁３１０〜３４０の内側面３１１〜３４１は、前記導光板２００の第１乃至第４側面２１０〜２４０とは前記第１乃至第４コーナー部（Ｃ１〜Ｃ４）においては第１距離（ｄ１）で離隔される。前記第１乃至第４側壁３１０〜３４０の内側面３１１〜３４１は、前記導光板２００の第１乃至第４側面２１０〜２４０とは前記第１乃至第４中央部（Ｄ１〜Ｄ４）においては第２距離（ｄ２）で離隔される。ここで、前記第１距離（ｄ１）は前記第２距離（ｄ２）より大略０．１〜０．５ｍｍ程度大きい。
【００２９】
即ち、前記第１乃至第４コーナー部（Ｃ１〜Ｃ４）では前記導光板２００の形状変形や変位を受容することができる空間が準備されるが、前記第１乃至第３中央部（Ｄ１〜Ｄ３）ではそれは充分ではない。従って、前記第１乃至第４コーナー部（Ｃ１〜Ｃ４）におけるよりも前記第１乃至第４中央部（Ｄ１〜Ｄ３）においては前記モールドフレーム３００と前記導光板２００の摩擦やぶつかりによるノイズの発生確率が高くなる。尚、第４中央部Ｄ４も導光板２００に近接しているが、この部分はランプユニット１００用の凹所があるため、内面３４１が導光板に接する領域は実質的になく、ノイズに関し問題とならない。
【００３０】
第１乃至第３中央部（Ｄ１〜Ｄ３）から発生するノイズを減少させるための構造は、以後の図３乃至図５を参照して説明する。
図３は、図２に図示されたバックライトアセンブリーをＡ−Ａ’に沿って見た断面図である。
図３を参照すると、第１コーナー部（Ｃ１）でモールドフレーム３００の第１側壁３１０の内側面３１１は、導光板２００の第１側面２１０とは第１距離（ｄ１）に離隔される。
【００３１】
一方、第２中央部（Ｄ２）で、前記モールドフレーム３００の第２側壁３２０の内側面３２１は、前記導光板２００の第２側面２２０とは第２距離（ｄ２）に離隔される。前記第１距離（ｄ１）は、前記第２距離（ｄ２）より大略０．１〜０．５ｍｍ程度大きい。
【００３２】
前記第２中央部（Ｄ２）に対応する前記第２側壁３２０の内側面３２１は凹凸構造を有する。前記凹凸は、所定の曲率を有して丸みを帯びた断面形状を有するように形成される。前記第２側壁３２０の内側面３２１と向い合う前記導光板２００の第２側面２２０も同様な凹凸構造を有する。このような凹凸構造は、実際には非常に微細なスケールであるが、説明の便宜のために大きく図示した。
【００３３】
従って、前記凹凸は、前記第１乃至第３中央部（Ｄ１〜Ｄ３）で前記モールドフレーム３００と前記導光板２００が接触する面積を最小化することによって、摩擦によるノイズの発生を減少することができる。
【００３４】
ここで、図３では、第１コーナー部（Ｃ１）及び第２中央部（Ｄ２）での導光板２００とモールドフレーム３００の形状を図示した。しかし、第２乃至第４コーナー部(図示せず)は前記第１コーナー部（Ｃ１）と同じ構造を有し、第１及び第３中央部(図３では図示せず)も第２中央部（Ｄ２）と同様の形態を有する。尚、第１中央部（Ｄ１）と第３中央部（Ｄ３）の長さは互いに同じであるが、第２中央部（Ｄ２）と第４中央部（Ｄ４）の長さは同じではない。
【００３５】
図４は、図１に図示されたモールドフレームを具体的に示した図面であり、図５は、図１に図示された導光板を具体的に示した図面である。
【００３６】
図４を参照すると、モールドフレーム３００は、底面３５０、前記底面３５０から延びる第１乃至第４側壁３１０〜３４０を含む。前記第１乃至第４側壁３１０〜３４０は第１乃至第４コーナー部（Ｃ１〜Ｃ４）で第１厚さ（ｔ１）を有し、前記第１乃至第４中央部（Ｄ１〜Ｄ４）で前記第１厚さ（ｔ１）より大きい第２厚さ（ｔ２）を有する。
【００３７】
また、前記第１乃至第３側壁３１０〜３３０の内側面３１１〜３３１は、前記第１乃至第４コーナー部（Ｃ１〜Ｃ４）でフラットな表面構造を有するが、前記第１乃至第３中央部（Ｄ１〜Ｄ３）では凹凸構造を有する。
【００３８】
前述したように、前記モールドフレーム３００の前記第４側壁３４０と向かい合う導光板２００の第４側面２４０にはランプユニット１００を収容する凹所が形成され、前記第４側壁３４０は、前記第４側面２４０と直接的に接触する領域が実質的に存在しない。従って、前記第４側壁の内側面３４１は、全体的にフラットな表面構造を有してもよい。
【００３９】
図４及び図５を参照すると、第１乃至第３コーナー部（Ｃ１〜Ｃ３）に対応する導光板２００の第１乃至第３側面２１０〜２３０はフラットな表面構造を有し、第１乃至第３中央部（Ｄ１〜Ｄ３）に対応する前記導光板２００の第１乃至第３側面２１０〜２３０の領域は凹凸構造を有する。
【００４０】
一方、前記第４側面２４０は、ランプユニット１００と隣接して前記ランプユニット１００から出射された光を受光する。従って、前記第４側面２４０は、モールドフレーム３００の第４側壁と直接的に接触する可能性が実質的にないので、全体的にフラットな表面構造を有したままでよい。
【００４１】
前記モールドフレーム３００に前記導光板２００が収納された後、前記第１乃至第４コーナー部（Ｃ１〜Ｃ４）では前記第１乃至第３側壁３１０〜３３０と第１乃至第３側面２１０〜２３０の離隔距離が前記第１乃至第３中央部（Ｄ１〜Ｄ３）におけるより広く確保される。即ち、前記第１乃至第４コーナー部（Ｃ１〜Ｃ４）には、前記導光板２００の形状変形又は移動による前記導光板２００の位置変化を受容することができる空間が形成されることになる。
【００４２】
従って、前記第１乃至第４コーナー部（Ｃ１〜Ｃ４）で前記第１乃至第３側壁３１０〜３３０の内側面３１１〜３３１と前記第１乃至第３側面２１０〜２３０がフラットな表面構造を有しても、前記モールドフレーム３００と前記導光板２００の接触によるノイズを減少させることができる。
【００４３】
一方、前記第１乃至第３中央部（Ｄ１〜Ｄ３）では、前記第１乃至第３側壁３１０〜３３０と前記第１乃至第３側面２１０〜２３０との離隔距離が前記第１乃至第３コーナー部（Ｃ１〜Ｃ４）におけるものより狭くて、前記モールドフレーム３００と前記導光板２００が接触してノイズを発生する確率が高い。
【００４４】
しかし、図示されたように、前記第１乃至第３側壁３１０〜３３０の内側面３１１〜３３１と前記第１乃至第３側面２１０〜２３０は凹凸構造を有する。前記凹凸は、前記第１乃至第３中央部（Ｄ１〜Ｄ３）で前記モールドフレーム３００と前記導光板２００が接触した時、ぶつかり及び摩擦によって発生するノイズを減少させることができる。
【００４５】
また、前記第１乃至第４側壁３１０〜３４０の全体が凹凸構造を有せず、第１乃至第３中央部（Ｄ１〜Ｄ３）でだけ凹凸構造を有するので、前記モールドフレーム３００の製造過程で凹凸構造を形成することに付随し発生し得る製造不良の可能性をその分減少させることができる。
【実施例２】
【００４６】
図６は、本発明の他の実施例によるバックライトアセンブリーを示した平面図であり、図７は、図６をＢ−Ｂ’に沿って見た断面図である。但し、図６及び図７では、図２に図示された構成要素と同じ構成要素に対しては同じ参照符号を使用し、それに対した具体的な説明は省略する。
【００４７】
図６及び図７を参照すると、本発明の他の実施例によるバックライトアセンブリー４１０は、光を発生するランプユニット１００、前記光を所定方向にガイドする導光板２００及び前記ランプユニット１００と導光板２００を収納するモールドフレーム３００を含む。
【００４８】
前記導光板２００は、第１乃至第４側面２１０、２２０、２３０、２４０、前記第１乃至第４側面２１０〜２４０の一端部から延びる前面２５０及び前記第１乃至第４側面２１０〜２４０の他の一端部から延びて前記前面２５０と向い合う後面２６０で構成される。ここで、前記第４側面２４０は、前記ランプユニット１００と隣接して前記ランプユニット１００からの光を受光する入射面である。
【００４９】
前記導光板２００は、前記第４側面２４０の側に寄った部分で前記第１及び第３側面２１０、２３０から突出した第１及び第２突出部２１１、２３１をそれぞれ具備する。前記第１及び第２突出部２１１、２３１は、前記第４側面２４０側に行くほどサイズが増加するスロープ形状を有する。
【００５０】
前記モールドフレーム３００は、底面３５０及び前記底面３５０から延びて収納空間を画成する第１乃至第４側壁３１０、３２０、３３０、３４０を含む。前記第１及び第３側面２１０、２３０と向い合う前記第１及び第３側壁３１０、３３０には前記第１及び第２突出部２１１、２３１を収納するための第１及び第２収納凹所３１０ａ、３３０ａが形成される。
【００５１】
前記導光板２００が前記モールドフレーム３００に収納されると、前記第１及び第２突出部２１１、２３１は、前記第１及び第２収納凹所３１０ａ、３３０ａに収納されて前記第１及び第３側壁３１０、３３０とかみ合わさる。これによって、前記導光板２００は、前記モールドフレーム３００に収納された状態で、前記ランプユニット１００側に移動しないようにできる。
【００５２】
ここで、前記第１突出部２１１は、第１コーナー部（Ｃ１）と第４コーナー部（Ｃ４）との間に位置する第１中央部（Ｄ１）に具備され、前記第２突出部２３１は、前記第２コーナー部（Ｃ２）と第３コーナー部（Ｃ３）との間に位置する第３中央部（Ｄ３）に具備される。そして、前記第１及び第２突出部２１１、２３１の表面と前記第１及び第３側壁３１０、３３０の内側面３１１、３３１は第２距離（ｄ２）に離隔される。
【００５３】
図７に図示されたように、前記第２突出部２３１の表面は凹凸構造を有し、前記第２収納凹所３３０ａが形成された前記第３側壁３３０の内側面３３１も凹凸構造を有する。前記凹凸は、前記第２突出部２３１が前記第２収納凹所３３０ａに収納されて前記第３側壁３３０の内側面３３１と結合されたとき、前記モールドフレーム３００と前記導光板２００のぶつかり合いや摩擦によるノイズを減少させることができる。この構成は第１突出部２１１の表面と第１収納凹所３１０ａの部分の内側面３１１との関係にも当てはまる。
尚、上記突出部２１１，２３１における凹凸構造に加え、実施例１におけるように第１ないし第３中央部（Ｄ１〜Ｄ３）及びそれに面する導光板の側壁の全体あるいは一部にも凹凸構造を与えてもよい。
【００５４】
図６及び図７は、前記導光板２００がモールドフレーム３００に収納された後、前記ランプユニット１００側に移動することを防止するための一実施例を示したものであって、前記導光板２００とモールドフレーム３００の結合構造はこれに限定さず、他の移動防止形態を用いることもできる。
【００５５】
図１乃至図７では、前記導光板２００の側面２１０〜２４０及び前記モールドフレーム３００の側壁３１０〜３４０の内側面３１１〜３４１が凹凸構造を有するよう形成される例を図示した。しかし、前記導光板２００とモールドフレーム３００は、前記側面２１０〜２４０及び側壁３１０〜３４０の内側面３１１〜３４１に粒状物質を噴射する表面処理工程を通じて製造することもできる。
【実施例３】
【００５６】
図８は、本発明の第３実施例による液晶表示装置を示した分解斜視図である。本実施例では、図１に図示されたバックライトアセンブリーを有する液晶表示装置を図示した。但し、図８では、図１に図示された構成要素と同じ構成要素に対しては同じ参照符号を用い、それに対した具体的な説明は省略する。
【００５７】
図８を参照すると、本発明の第３実施例による液晶表示装置７００は、画像を表示するディスプレイユニット５００及び光を発生して前記ディスプレイユニット５００に提供するバックライトアセンブリー４００を含む。前記液晶表示装置はラップトップ用コンピュータ、ＰＤＡなど、個人携帯用情報端末機などに適用されることができる。前記ディスプレイユニット５００は、前記画像を表示する液晶表示パネル５１０と前記液晶表示パネル５１０を駆動するための駆動印刷回路基板５２０で構成される。
【００５８】
前記バックライトアセンブリー４００は、前記光を発生するランプユニット１００、前記光を前記液晶表示パネル５１０にガイドする導光板２００及び前記ランプユニット１００と前記導光板２００を収納するためのモールドフレーム３００を具備する。
【００５９】
前記導光板２００の上部には、前記導光板２００から出射された光の輝度及び視野角を向上させる光学シート群１０が具備され、前記導光板２００の下部には、前記導光板２００から漏洩する光を前記導光板２００側に反射する反射板５０が具備される。
【００６０】
前記モールドフレーム３００に前記反射板５０が収納されると、その上に導光板２００及びランプユニットが収納される。次いで、前記導光板２００上には前記光学シート群１０が収納され、その上に液晶表示パネル５１０が装着される。前記駆動印刷回路基板５２０は、前記モールドフレーム３００の外側で折曲げて背面にまで延ばしそこで固定される。
【００６１】
前記液晶表示パネル５１０の上部には、前記モールドフレーム３００と対向結合して前記液晶表示パネル５１０を前記モールドフレーム３００に固定するシャーシ（枠）６００が提供される。
【００６２】
このようなバックライトアセンブリー及びこれを有する表示装置によると、収納容器は、底面及び底面から延びて収納空間を形成する側壁を具備して収納空間に導光板を収納する。側壁の内側面は、導光板の側面と各コーナー部では第１距離で離隔され、コーナー部の間に位置する中央部では第１距離より小さい第２距離で離隔される。
【産業上の利用可能性】
【００６３】
従って、従来ノイズが多く発生していたコーナー部位で導光板と収納容器との距離を離隔させるこどで、各コーナー部で収納容器と導光板とのぶつかりや摩擦によるノイズを減少させることができる。
【００６４】
また、中央部に対応するモールドフレームの側壁だけが凹凸構造を有することで、モールドフレームの製造不良を減少させることができる。
【００６５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６６】
【図１】本発明の一実施例によるバックライトアセンブリーを示した斜視図である。
【図２】図１に図示されたバックライトアセンブリーの平面図である。
【図３】図２に図示されたバックライトアセンブリーをＡ−Ａ’に沿って見た断面図である。
【図４】図１に図示されたモールドフレームを具体的に示した図面である。
【図５】図１に図示された導光板を具体的に示した図面である。
【図６】本発明の他の実施例によるバックライトアセンブリーを示した平面図である。
【図７】図６をＢ−Ｂ’に沿って見た断面図である。
【図８】本発明の第３実施例による液晶表示装置を示した分解斜視図である。
【符号の説明】
【００６７】
１０    光学シート群
５０    反射板
１００    ランプユニット
１１０    ランプ
１２０    ランプ反射板
２００    導光板
２１０    第１側面
２１１    第１突出部
２２０    第２側面
２３０    第３側面
２３１    第２突出部
２４０    第４側面
２５０    前面
２６０    後面
３００    モールドフレーム
３１０    第１側壁
３１０ａ    第１収納凹所
３１１、３２１、３３１、３４１    内側面
３１２、３２２、３３２、３４２    外側面
３２０    第２側壁
３３０    第３側壁
３３０ａ    第２収納凹所
３４０    第４側壁
３５０    底面
４００    バックライトアセンブリー
５００    ディスプレイユニット
５１０    液晶表示パネル
５２０    駆動印刷回路基板
６００    シャーシ
７００    液晶表示装置
【図１】
0004664028.tif 000002
【図２】
0004664028.tif 000003
【図３】
0004664028.tif 000004
【図４】
0004664028.tif 000005
【図５】
0004664028.tif 000006
【図６】
0004664028.tif 000007
【図７】
0004664028.tif 000008
【図８】
0004664028.tif 000009